(57)【要約】【課題】胴部一重廻し時には任意個所に係合されて帯本体に位置ずれが発生せずに安定し、更にその面上へ一重廻しを施して、結び帯の端部の細幅舌片を内側へ折込むので、二個所に係脱機能を持つ細帯となり、位置ずれが生起すること無く、体格肥痩、激しい動作等に拘らず、常に安定した位置に滞まり、細帯を毀損せず、和服の着崩れを皆無とし、且つ簡便に捲締し得る。【解決手段】帯本体の一端部には、予め所望形状の結び目を施した結び帯が形成され、該結び帯の端部には、裏面にベルベット式ファスナーの一方を設けた細幅舌片を延設すると共に、帯本体の他端部には、幅方向に沿ってベルベット式ファスナーの一方を取着し、帯本体の裏面中央部には、他端部より長手方向に沿ってベルベット式ファスナーの他方を帯状に長く設ける。【選択図】        図１
0003104007.tif 000002
【実用新案登録請求の範囲】
【請求項１】
帯本体（１）の一端部（２）には、予め所望形状の結び目を施した結び帯（３）が形成され、該結び帯（３）の端部には、裏面にベルベット式ファスナーの一方（５）を設けた細幅舌片（４）を延設すると共に、帯本体（１）の他端部（６）には、幅方向に沿ってベルベット式ファスナーの一方（７）を取着し、帯本体（１）の裏面中央部には、他端部（６）より長手方向に沿ってベルベット式ファスナーの他方（８）を帯状に長く設けたことを特徴とする細帯。
【考案の詳細な説明】
【技術分野】
【０００１】
この考案は、所望の浴衣や簡易な長着等の和服を着用した際に、着用者の胴部分に捲締される細帯に関する。
【背景技術】
【０００２】
従来より所望の浴衣や簡易な長着等の和服を着用する場合、その和服を固定させ、着崩れを未然に阻止するために、人体の胴部分には適宜帯を捲締して装着されるものである。斯かる帯本体には端部に所定の結び帯が予め形成された伊達帯も周知されおり、和服は着用出来ても帯本体を結べない需要者が頗る多数である結果、この構造の帯本体が好んで用いられているところであるが、帯の緩みに伴う和服の着崩れ、不体裁が発生し易く、度々和服の歪みや緩みを是正せねばならない欠陥があった。
実公昭４７−３１６２５号公報には、弾性シートの両側に、該シートと同効資材をベースとし、その表面にベースと共に伸縮するパイル層を設けた端部生地を連結し、前記シート３区帯の表面に博多織、しゅす織等の伊達巻生地その他の丈夫な表生地を重ね、その周縁を縁取りして一体とした伊達巻本体の一方の端部生地の裏側に、ベルベット式ファスナーの雄版を装着した伊達巻の構造が示され、これによって緩みのない衛生的で着用し易く、着崩れもない伊達巻が得られる、とするが、胴部に捲廻して一方のパイル層に他方のベルベット式ファスナーを係合させるので簡単確実に着用出来るが、然し端部生地をパイル層とし、このパイル層にベルベット式ファスナーを係脱する構成とすると、伊達巻の端部が肉厚に膨隆して頗る着用時に不体裁となる欠陥を有している。
【特許文献１】実公昭４７−３１６２５号公報
【考案の開示】
【考案が解決しようとする課題】
【０００３】
然るにこの考案が茲に開発した細帯にあっては、既述従来の欠陥に鑑みて鋭意研究の結果に開発されたものであって、所望の和服を着用し、その胴部分に細帯を捲締する際、帯本体の他端部の幅方向に沿うベルベット式ファスナーの一方が、帯本体裏面中央部のベルベット式ファスナーの他方に、胴部一重廻し時に任意個所に係合されて帯本体に位置ずれが発生せずに安定し、更にその面上へ一重廻しを施して、結び帯の端部に延設した細幅舌片を内側へ折込むと、長手方向に沿うベルベット式ファスナーの他方へ係合する構成となり、所謂二ヶ所に於いて係脱機能を持つ細帯となり、定められた位置にずれが生起すること無く、体格肥痩、激しい動作等に拘らず、常に安定した当所の位置に滞まるため、雌雄のベルベット式ファスナーを用いても細帯を毀損する虞れもなく、和服の着崩れを皆無とし、且つ簡便に捲締し得る細帯を提供することを目的とする。
【課題を解決するための手段】
【０００４】
上記した目的を有効に達成するがために、本考案になる細帯にあっては、帯本体１の一端部２には、予め所望形状の結び目を施した結び帯３が形成され、該結び帯３の端部には、裏面にベルベット式ファスナーの一方５を設けた細幅舌片４を延設すると共に、帯本体１の他端部６には、幅方向に沿ってベルベット式ファスナーの一方７を取着し、帯本体１の裏面中央部には、他端部６より長手方向に沿ってベルベット式ファスナーの他方８を帯状に長く設けた細帯を特徴とするものである。
【考案の効果】
【０００５】
本考案によれば、帯本体の他端部の幅方向に沿うベルベット式ファスナーの一方が、帯本体裏面中央部のベルベット式ファスナーの他方に、胴部一重廻し時に任意個所に係合されて帯本体に位置ずれが発生せずに安定し、更にその面上へ一重廻しを施して、結び帯の端部に延設した細幅舌片を内側へ折込むと、長手方向に沿うベルベット式ファスナーの他方へ係合する構成となり、所謂二ヶ所に於いて係脱機能を持つ細帯となり、位置ずれが生起すること無く、体格肥痩や激しい動作等に拘らず、常に安定した当所の位置に滞るため、雄雌のベルベット式ファスナーを用いても細帯を毀損する虞れもなく、和服の着崩れを皆無とし、且つ簡便に捲締し得るものとなる。
【実施例】
【０００６】
次いでこの考案になる細帯に関する実施の一例について詳述する。
【０００７】
長さを１４０乃至１６０cm、幅員を１５cmとする織物地による帯本体１の一端部２には、予め所望形状、例えば貝の口や吉弥結び、その他任意の結び方で結び込まれた結び帯３が形成され、該結び目帯３の端部には、裏面にベルベット式ファスナーの一方５を、一乃至数個設けた細幅舌片４が屈曲自在に延設されている。
【０００８】
斯かる帯本体１の他端部６には、幅方向に沿って幅員を２乃至３cmとするベルベット式ファスナーの一方７が取着され、帯本体１の裏面中央部には、他端部６より長手方向に沿って、長さを９０乃至９５cm、幅員を２乃至５cmとする帯状のベルベット式ファスナーの他方８を設けたもので、帯本体１の一端部２のベルベット式ファスナーの一方５と、他端部６のベルベット式ファスナーの一方７とは、雄型の鉤状を呈したベルベット式ファスナーが用いられ、帯本体１の裏面中央部のベルベット式ファスナーの他方８は、雌型の所謂パイル状を呈したベルベット式ファスナーが夫々縫着されている。
【０００９】
この細帯を人体の胴部、主として女性の胴部に捲締して供するのであるが、斯かる胴部に先ず一重に捲いた際には、帯本体１の他端部６に配された幅方向に沿うベルベット式ファスナーの一方７が、帯本体１の裏面中央部に長手方向に配されたベルベット式ファスナーの他方８に係合し、胴部の肥痩に応じた最適の任意位置に互いのベルベット式ファスナーが係止することとなる。
【００１０】
次いで更に帯本体１を胴部へ捲締し、帯本体１の一端部２の結び帯３から延設された細幅舌片４を、内側へ折曲させ、捲締された帯本体１の最内側へ折曲させることで、細幅舌片４のベルベット式ファスナーの一方５が、帯本体１の裏面中央部に長手方向に配されたベルベット式ファスナーの他方８に係合し、帯本体１が胴部に固定されるものとなる。もって常法により結び帯３が背面の所定位置に来るように、位置調整されて着用されるのであるが、帯本体１を一重に捲締した時に胴部に対する帯本体１の締付程度を選択出来、更に二重に捲締して結び帯３を固定すると、二ヶ所でベルベット式ファスナーが係止される構成となり、帯本体１には位置ずれが発生せず、雌型、雄型のベルベット式ファスナーを用いても帯本体１を損傷する虞れもなく、且つ二個所による締結で緩みのない細帯を装着し得、着崩れが発生しないものとなる。
【図面の簡単な説明】
【００１１】
【図１】細帯の一部を省略した表面図である。
【図２】細帯の一部を省略した裏面図である。
【符号の説明】
【００１２】
１    帯本体
２    一端部
３    結び帯
４    細幅舌片
５    ベルベット式ファスナーの一方
６    他端部
７    ベルベット式ファスナーの一方
８    ベルベット式ファスナーの他方
【図１】
0003104007.tif 000003
【図２】
0003104007.tif 000004